(57)【特許請求の範囲】
【請求項１】
容器本体と、これに少なくとも一部にて内嵌合されるとともに、この内嵌合部分直近に位置することになる摘み部を有した蓋体とからなる包装用容器であって、
前記容器本体の、前記蓋体の少なくとも一部が内嵌合される部分に、立ち上がり壁によって囲まれるとともに、前記摘み部が収納される収納空間を形成し、
前記摘み部が収納空間内に収納されたとき、この摘み部の上方にて内方に突出することになる内向き突起を前記立ち上がり壁に形成し、
さらに、各立ち上がり壁の間に位置している空間底面に、これを下方に向けて折れ曲がり易くするための折曲線を形成したことを特徴とする改ざん防止を施した包装用容器。
【請求項２】
前記立ち上がり壁の上部に、前記折曲線にて空間底面を折り曲げたとき、破損又は伸びきって改ざんの目印となる目印面を形成したことを特徴とする請求項１に記載の改ざん防止を施した包装用容器。
【発明の詳細な説明】
【０００１】
【産業上の利用分野】
本発明は、合成樹脂を材料として形成された容器本体と、これに嵌合される蓋体とからなる包装用容器に関し、特に、一度開いたら、そのことがどこかに残る改ざん防止を施した包装用容器に関するものである。
【０００２】
【従来の技術】
お菓子や弁当等の食品を収納した容器本体の開口部に、蓋体を内嵌合又は外嵌合することにより、密封を行うようにした包装用容器は、現在のところ、種々な形態のものが提案されてきている。中でも、蓋体が容器本体に対して外嵌合又は内嵌合するタイプのものでは、その外周をさらにラップやフィルムによって包み込まなくてもよい、密封性を有したものとすることができることから、主として射出成形等の手段によって、合成樹脂を材料とした一体成形によって製造されていることが多い。
【０００３】
しかしながら、蓋体を容器本体に対して内嵌合又は外嵌合する包装用容器においては、そのまま店頭に並べられることが多く、蓋体を外す等のいたずらや改ざんがなされ易くなっている。このようないたずらや改ざんによって、一旦開封された包装用容器及び収納物は、商品としての価値が全くないものとなるから、そのようなものを簡単に目視によって発見できるようにしておかなければならない。
【０００４】
このような改ざんを目視によって簡単に発見できるようにした従来の方法としては、例えば、封が解かれれば破れてしまうシールを容器本体と蓋体との境目に貼付しておくとか、開封したことが簡単に現れて修復できないシールを貼る等の種々なものがある。しかしながら、このようなシールを用意して、それを内容物を詰めた後の包装用容器に貼付することは、大きな設備を別途設けるか、手作業に頼らざるを得ない状況にある。
【０００５】
しかしながら、シール貼付のための設備を導入することは、容器の大きさや形状が種々異なるこの種の包装用容器については非常に困難であり、結局人件費を投入して手作業に頼らざるを得ないことになってしまっているのである。
【０００６】
そこで、本発明者は、改ざん防止を簡単に行えないかについて種々検討を重ねてきた結果、本発明を完成したのである。
【０００７】
【発明が解決しようとする課題】
本発明は、以上のような経緯に基づいてなされたもので、その解決しようとする課題は、蓋体を容器本体に嵌合するだけで、改ざん防止を図ることのできる包装用容器を提供することにある。
【０００８】
すなわち、請求項１に係る発明の目的とするところは、容器本体に対する蓋体の嵌合によって、そのまま密閉性を確保できるとともに、もしいたずら等によって、蓋体の開放がなされたとしても、その痕跡が確実に残って、改ざんを目視により簡単に発見できるようにすることのできる改ざん防止を施した包装用容器を提供することにある。
【０００９】
また、請求項２に係る発明の目的とするところは、上記請求項１と同様な目的を達成できるほか、改ざんがなされたときの痕跡をより確実に残すことができるようにした包装用容器を提供することにある。
【００１０】
【課題を解決するための手段】
以上の課題を解決するために、まず、請求項１に係る発明の採った手段は、後述する実施の形態の説明中において使用する符号を付して説明すると、
「容器本体１０と、これに少なくとも一部にて内嵌合されるとともに、この内嵌合部分直近に位置することになる摘み部２１を有した蓋体２０とからなる包装用容器１００であって、
容器本体１０の、蓋体２０の少なくとも一部が内嵌合される部分に、立ち上がり壁１２によって囲まれるとともに、摘み部２１が収納される収納空間３０を形成し、
摘み部２１が収納空間３０内に収納されたとき、この摘み部２１の上方にて内方に突出することになる内向き突起１４を立ち上がり壁１２に形成し、
さらに、各立ち上がり壁１２の間に位置している空間底面１１ａに、これを下方に向けて折れ曲がり易くするための折曲線１３を形成したことを特徴とする改ざん防止を施した包装用容器１００」
である。
【００１１】
すなわち、この請求項１に係る包装用容器１００は、図１及び図２に示すように、容器本体１０と、その上方開口を覆うべくこの容器本体１０に嵌合される蓋体２０とからなるものであり、容器本体１０は、その少なくとも１つの隅角部に、図２に拡大して示すように、蓋体２０側の摘み部２１が収納されることになる収納空間３０を有しているものである。この収納空間３０を構成するために、容器本体１０側においては、図２に示すように、フランジ１１の一部からなる空間底面１１ａと、これを９０°の角度で包囲する２面の立ち上がり壁１２とが形成してある。そして、これら各立ち上がり壁１２には、図２及び図３に示すように、内向き突起１４が一体的に形成してあるのである。
【００１２】
さて、以上のように構成した蓋体２０を、食品等の収納物を詰めた容器本体１０に嵌合すると、その摘み部２１が、容器本体１０側のフランジ１１の少なくとも１つの隅角部形成してある空間底面１１ａ上の収納空間３０内に嵌合される。このとき、収納空間３０の周囲に立ち上がっている立ち上がり壁１２に形成してある内向き突起１４を、摘み部２１の端縁が乗り越えるため、図３に示すように、蓋体２０側の摘み部２１は各内向き突起１４の下側になり、空間底面１１ａ上に密着することになる。つまり、蓋体２０側の摘み部２１は、空間底面１１ａと２つの立ち上がり壁１２によって囲まれている収納空間３０内に完全に埋没してしまい、外からは全く見えない状態となる。
【００１３】
以上のように密閉した本包装用容器１００は、次のようにしてその蓋体２０の容器本体１０からの開放を行うものである。すなわち、図４に示すように、空間底面１１ａを囲んでいる立ち上がり壁１２を、指で下方に押圧すると、空間底面１１ａはこれに形成してある折曲線１３の部分で折れ曲がり、それまで埋没していた摘み部２１の先端が露出するのである。そこで、この摘み部２１に指を掛けて蓋体２０を開放するのである。
【００１４】
以上の開放がいたずらであって、蓋体２０を再び容器本体１０に嵌合したとすると、各立ち上がり壁１２には押圧したときの力によって、特に折曲線１３の延長線上にて変形しており、図２に示すような元の状態には戻っていない。しかも、各立ち上がり壁１２には内向き突起１４が形成してあって、これが摘み部２１を押し上げることになるから、摘み部２１が図３に示すようには収納空間３０内には収納されない。つまり、蓋体２０を容器本体１０に嵌合したとしても、前回の開封の時に生じた変形痕が各立ち上がり壁１２に残っているだけでなく、空間底面１１ａについても折曲線１３によって変形した後であるから、図４に示した程ではないにしても、下方に少し傾斜した状態になっている。
【００１５】
従って、この請求項１の包装用容器１００は、一旦蓋体２０を開封すれば、そのことが空間底面１１ａや立ち上がり壁１２に残留するため、これを目視で簡単に発見することができ、改ざん防止機能を発揮することになるのである。
【００１６】
さて、上記課題を解決するために、請求項２に係る発明の採った手段は、上記請求項１に係る包装用容器１００について、
「立ち上がり壁１２の上部に、折曲線１３にて空間底面１１ａを折り曲げたとき、破損又は伸びきって改ざんの目印となる目印面１５を形成したこと」
である。
【００１７】
すなわち、この請求項２の包装用容器１００は、図５に示すように、立ち上がり壁１２の上部に目印面１５を形成したものであり、この目印面１５は、一旦蓋体２０を開放した後においては、図５の（イ）に示すように弾性変形領域を完全に越えて伸びきるか、あるいは、図５の（ロ）に示すように、完全に切れてしまうものである。つまり、蓋体２０を開放するためには、立ち上がり壁１２を図４に示すように押し下げなければならないし、一旦この押し下げを行えば、目印面１５は図５に示すような元には戻らない状態になってしまうのである。
【００１８】
従って、この請求項２に係る包装用容器１００は、その蓋体２０の開放を一旦行えば、空間底面１１ａ及び立ち上がり壁１２の変形は勿論、その目印面１５についても伸びきるか切断されてしまって元に戻らない変形を生ずるから、改ざん防止を確実に果たすことができるのである。
【００１９】
【発明の実施の形態】
次に、以上のように構成した各請求項に係る発明を、図面に示した実施の形態である包装用容器１００について説明すると、図１には、本発明を構成している容器本体１０に蓋体２０を嵌合しようとしている状態が示してある。そして、この包装用容器１００を構成している容器本体１０の、図１の図示左下部分には、蓋体２０側の摘み部２１が収納されることになる収納空間３０が形成してある。
【００２０】
これらの容器本体１０及び蓋体２０は、合成樹脂による射出成形、又は合成樹脂シートによる真空形成によって一体成形するものであり、図１に示した実施形態のものでは、蓋体２０を容器本体１０に対して「内嵌合」するものとしてある。つまり、本実施形態では、容器本体１０の上方開口周辺に形成せいたフランジ１１の外周に立ち上がり壁１２を一体成形して、この立ち上がり壁１２の内側に蓋体２０の開口周縁を嵌合するようにしたものである。これにより、後述する空間底面１１ａや、その上の収納空間３０以外の部分において、蓋体２０は容器本体１０に対して隙間なく嵌合していて、蓋体２０を開く部分が全くないものとなっている。なお、蓋体２０側の摘み部２１が収納されるべき収納空間３０が形成できるのであれば、容器本体１０に対する蓋体２０の嵌合は、所謂「外嵌合」であってもよく、また内嵌合部分は、摘み部２１の周囲にだけあってもよいこと言うまでもない。
【００２１】
さて、容器本体１０は、図１に示したように、その上部開口の周囲にフランジ１１を有していて、このフランジ１１の一部には、収納空間３０を構成するための空間底面１１ａが形成してあり、この空間底面１１ａは、図２及び図３に示したように、略三角形状のものとしてある。なお、本実施形態の容器本体１０においては、空間底面１１ａ以外は丸味を持たせたコーナー部を有したものとしてある。
【００２２】
本実施形態の包装用容器１００においては、容器本体１０に蓋体２０を内嵌合するものであるので、上記フランジ１１の周囲には、図２にも示したような立ち上がり壁１２が一体成形してある。このため、特に空間底面１１ａは、図２に示したように、互いに直交する二面の立ち上がり壁１２によって囲まれたものとなっており、これらの空間底面１１ａ及び立ち上がり壁１２によって、先程から述べている収納空間３０が形成されているのである。
【００２３】
この収納空間３０内に露出している空間底面１１ａには、図２に示したように、折曲線１３が形成してある。この折曲線１３は、これより先の空間底面１１ａ、及びこの空間底面１１ａと一体的になっている立ち上がり壁１２の一部とを、他とは別に下方へ押し下げ得るようにするものであり、図２に示したような小開口１３ａを、所謂「ミシン目」のように連続させることによって形成してある。勿論、各小開口１３ａは、これを単なる凹みとして形成してもよい。また、各小開口部１３ａやこれに該当する凹みを、互いに交差する２つの立ち上がり壁１２間に１つだけ形成してもよい。
【００２４】
この折曲線１３より上方に位置する立ち上がり壁１２には、図２及び図３に示したように、蓋体２０の一コーナー部に形成してある略三角形状の摘み部２１を係止するための内向き突起１４が形成してある。この内向き突起１４の高さは、０．３〜０．５ｍｍ程度であるが、容器本体１０を型出しするに際しては、何等の障害にもならず、また型出しによって形状が変化するようなことにはならないようにしてある。これに対して、収納空間３０を形成するための、空間底面１１ａの両側に立ち上がっている立ち上がり壁１２の交差角を９０°とする一方、これらの間に収納される蓋体２０側の摘み部２１を頂が９０°の三角形となるようにして、収納空間３０内に押し込んだ摘み部２１が両内向き突起１４によって確実に止められるようにしてある。なお、収納空間３０や摘み部２１の形状は、以上説明したものの他に、例えば楕円形状等であってもよい。
【００２５】
この内向き突起１４は、図２では折曲線１３の上方になるように形成したが、蓋体２０の摘み部２１を止められるのであれば、どこに形成してもよい。特に、立ち上がり壁１２の上部に、図５に示すような目印面１５を形成する場合には、これと干渉しない位置に内向き突起１４を形成するとよい。
【００２６】
目印面１５は、摘み部２１を包み込んでいる両立ち上がり壁１２を押し下げたとき、図５の（イ）に示したように大きく伸びきるか、図５の（ロ）に示したように切断されてしまうものであり、これによって蓋体２０を開封したことを示す、つまり改ざん防止を果たすためのものである。この目印面１５が、各立ち上がり壁１２を押し下げたときに伸びたり切れたりし易くなるようにするために、図５に示したように、その直下に位置する立ち上がり壁１２に補助開口１５ａを形成して実施してもよい。この補助開口１５ａは、図１に示したように、各立ち上がり壁１２の目印面１５より下方部分に形成されるものである。
【００２７】
以上のように構成した包装用容器１００においては、摘み部２１を囲んでいる立ち上がり壁１２を、図４に示したように押し下げることにより、摘み部２１の先端を露出させ、この摘み部２１を持ち上げることによって蓋体２０の開放を行うものであった。そこで、図３及び図４中の仮想線にて示したように、立ち上がり壁１２の一部に引下部１２ａを形成しておいて、この引下部１２ａを押し下げるか引き下げるかすることにより、立ち上がり壁１２の下動を容易にするように実施してもよい。
【００２８】
また、各立ち上がり壁１２の押し下げによって、摘み部２１を下方から起こすことになる起し部１６を形成するようにすると、なおよい。そのような起し部１６は、図６に示したように形成される。すなわち、図６の（イ）に示したように、空間底面１１ａに形成してある折曲線１３の略中央部を省略するとともに、この省略した部分を内側から囲み込むようなスリット１６ａを形成し、このスリット１６ａの内側を起し部１６とするのである。
【００２９】
このような起し部１６を形成しておけば、図６の（ロ）に示したように、立ち上がり壁１２の先端を押し下げれば、少し残してあった折曲線１３を中心に空間底面１１ａが曲がるとともに、スリット１６ａによって空間底面１１ａから完全に独立したものとなっている起し部１６が立ち上がることになるのである。これにより、この起し部１６の先端によって摘み部２１の下面が押し上げられ、蓋体２０の開放を容易にすべく、摘み部２１の収納空間３０からの突出を可能にすることになるのである。
【００３０】
勿論、容器本体１０を透明な合成樹脂材料によって形成しておくことにより、立ち上がり壁１２の押し上げによって、立ち上がり壁１２や空間底面１１ａ自体に白濁部分が形成されることになるから、このことによっても改ざん防止を果たすことができるものである。
【００３１】
【発明の効果】
以上、詳述したとおり、まず請求項１に係る発明においては、上記実施形態にて例示した如く、
「容器本体１０と、これに少なくとも一部にて内嵌合されるとともに、この内嵌合部分直近に位置することになる摘み部２１を有した蓋体２０とからなる包装用容器１００であって、
容器本体１０の、蓋体２０の少なくとも一部が内嵌合される部分に、立ち上がり壁１２によって囲まれるとともに、摘み部２１が収納される収納空間３０を形成し、
摘み部２１が収納空間３０内に収納されたとき、この摘み部２１の上方にて内方に突出することになる内向き突起１４を立ち上がり壁１２に形成し、
さらに、各立ち上がり壁１２の間に位置している空間底面１１ａに、これを下方に向けて折れ曲がり易くするための折曲線１３を形成したこと」
にその構成上の特徴があり、これにより、容器本体１０に対する蓋体２０の嵌合によって、そのまま密閉性を確保できるとともに、もしいたずら等によって、蓋体２０の開放がなされたとしても、その痕跡が確実に残って、改ざんを目視により簡単に発見できるようにすることのできる改ざん防止を施した包装用容器１００を提供することができるのである。
【００３２】
また、請求項２に係る発明においては、上記請求項１の包装用容器１００について、
「立ち上がり壁１２の上部に、折曲線１３にて空間底面１１ａを折り曲げたとき、破損又は伸びきって改ざんの目印となる目印面１５を形成したこと」
にその構成上の特徴があり、これにより、上記請求項１と同様な効果を発揮できるほか、改ざんがなされたときの痕跡をより確実に残すことができるようにした包装用容器１００を提供することができるのである。
【図面の簡単な説明】
【図１】本発明に係る包装用容器の分解斜視図である。
【図２】図１に示した収納空間の周辺部分を拡大して示した部分分解斜視図である。
【図３】図２に示した部分であって、その収納空間内に摘み部を完全に収納したときの部分拡大平面図である。
【図４】立ち上がり壁を押し下げたときの図２に示した部分の側面図である。
【図５】請求項２に係る包装用容器における立ち上がり壁を部分的に示すものであり、（イ）は、目印面が伸びたときの状態を、（ロ）は目印面が切断したときの状態を示す部分拡大側面図である。
【図６】空間底面に起し部を形成したときの例を示すためのもので、（イ）はその部分斜視図、（ロ）は起し部の中心に沿ってみた部分断面図である。
【符号の説明】
１００ 包装用容器
１０   容器本体
１１   フランジ
１１a  空間底面
１２   立ち上がり壁
１２ａ 引下部
１３   折曲線
１４   内向き突起
１５   目印面
１５ａ 補助開口
１６   起し部
１６ａ スリット
２０   蓋体
２１   摘み部
３０   収納空間
【図１】
0004431924.tif 000002
【図２】
0004431924.tif 000003
【図３】
0004431924.tif 000004
【図４】
0004431924.tif 000005
【図５】
0004431924.tif 000006
【図６】
0004431924.tif 000007